(57)【要約】  蝶番が、２つの物品をヒンジ式に連結する２つの回動要素を具備し、回動要素の各々が、物品に取着するための取着手段を含み、２つの物品に取付けられると、蝶番は物品に対して回転可能となる。
2008545071.tif 000002
【特許請求の範囲】
【請求項１】
２つの回動要素を具備した蝶番において、前記回動要素の各々は、該回動要素を物品に取着したときに、該蝶番が物品に対して回転可能となるように、該回動要素を物品に取着するための取着手段を含んで成る蝶番。
【請求項２】
前記蝶番は蝶番の運動の自由の方向を変更するように物品に対して回転可能となっている請求項１に記載の蝶番。
【請求項３】
前記蝶番はヒンジピンを更に具備する請求項１または２に記載の蝶番。
【請求項４】
前記取着手段が、前記２つの物品の一方に取着されるヒンジカラーを具備しており、前記蝶番が該ヒンジカラーに対して回転可能となっている請求項１〜３の何れか１項に記載の蝶番。
【請求項５】
回転取着手段の各々がヒンジカラーを具備する請求項４に記載の蝶番。
【請求項６】
前記回動要素の相対的な回転動作の軸線と、前記蝶番の前記物品に対する回転軸線が互いに垂直となっている請求項１〜５の何れか１項に記載の蝶番。
【請求項７】
前記回転取着手段が回動要素の各々から突出したシャフトを更に具備する請求項１〜６の何れか１項に記載の蝶番。
【請求項８】
前記蝶番を回転させることによって、蝶番が固定位置と解放位置との間で移動する請求項１〜７の何れか１項に記載の蝶番。
【発明の詳細な説明】
【技術分野】
【０００１】
本発明は蝶番に関する。
【発明の開示】
【課題を解決するための手段】
【０００２】
２つの回動要素を具備した蝶番において、前記回動要素の各々は、該回動要素を物品に取着したときに、該蝶番が物品に対して回転可能となるように、該回動要素を物品に取着するための取着手段を含んで成る蝶番が開示される。
【０００３】
１つの形態では、前記蝶番は蝶番の運動の自由の方向を変更するように物品に対して回転可能となっている。
１つの形態では、前記蝶番はヒンジピンを更に具備する。
【０００４】
１つの形態では、前記取着手段が、前記２つの物品の一方に取着されるヒンジカラーを具備し、前記蝶番が該ヒンジカラーに対して回転可能となっている。
【０００５】
１つの形態では、前記回動要素の相対的な回転動作の軸線と、前記蝶番の前記物品に対する回転軸線が互いに垂直となっている。
【０００６】
１つの形態では、前記蝶番を回転させることによって、蝶番が固定位置と解放位置との間で移動する。
【発明を実施するための最良の形態】
【０００７】
開示の理解を容易にするために、添付図面を参照して、折畳み式のチェス盤で用いる蝶番の好ましい実施形態を説明する。
蝶番は、図示する好ましい実施形態に限定されない。
【０００８】
添付図面を参照すると、蝶番１は２つの固体物品の間の相対的な動作を可能とする。図示する実施形態では、上記固体物品は半割にした２つのチェス盤３０である。
【０００９】
蝶番１は、２つの回動要素３を具備している。２つの別個の回動要素３の各々は、該２つの回動要素の少なくとも一方が、ヒンジピン４を中心として回転可能なようにヒンジピン４に取着されている。従って、２つの回動要素３は、互いに相対的に回転自在となっている。
【００１０】
２つの回動要素３の各々は、更に回転取着手段を具備しており、該回転取着手段は、結合部５、シャフト６、カラー１１を含んでいる。
【００１１】
２つの回動要素３は互いに相対動作可能となっている。その結果、回動要素３に取着された物品３０は、互いに相対動作可能となっている。
【００１２】
結合部５は、２つの固体物品３０が結合部５から外側に延在するように、該２つの固体物品３０内に装着されるようになっている。図２２〜図２５に示すように、この形態では、回動要素３が動作することによって、２つの固体物品３０は、図２２に示す平行に隣接させた位置から図２５に示す平坦位置へ移動する。
【００１３】
シャフト６は、蝶番１に強度と長さとを付加し、回動要素３を超えて固体物品３０に作用する荷重に耐えられるようにする。
【００１４】
各ヒンジカラー１１は、結合部５と共に回転できるようになっている。シャフト６には、結合部５に係合するネジその他の手段が設けられている。ヒンジカラー１１は、シャフト６または結合部５を中心として配置されている。蝶番１および結合部５は、こうして、カラー１１に対して回転自在となっている。カラー１１は、ヒンジ要素上に彎曲するように形成されているが、他の形状としてもよい。
【００１５】
図２６、２７に示すように、ヒンジカラー１１は、固定ネジその他の取付手段２６、２７によって固体物品３０に取付けられている。各シャフト６は、各固体物品３０内に装着したベアリング管７内に配置されている。シャフト６はベアリング管７内で回転自在となっている。蝶番１および結合部５は、こうして、シャフト６の中心軸線を中心として固体物品３０に対して回転自在となっている。
【００１６】
固体物品３０に対する回動要素３の運動の自由の方向を変更するように回転させることができる。この固体物品３０に対する回動要素３の運動の自由の方向を変更することによって、固体物品３０は、様々な平面内で相対動作可能となる。
【００１７】
実際上、回動要素３は、ヒンジピン４が回転軸線として作用するように動作する。蝶番１が９０°回転すると、ヒンジピン４および回動要素３の回転軸線は９０°回転する。その結果、蝶番の運動の自由は、９０°ずれる。これにより、固体物品３０の寸法、形状によって固体物品が異なる平面内で相対移動可能となり、或いは、ある状況では固体物品３０が相対移動しないように、蝶番１および回動要素３が固定されることを意味する。つまり、蝶番１は固定位置にある。
【００１８】
固定位置および解放位置は、半割にした平坦な固体物品で用いる場合に最もよく理解される。これは図２２〜図２５に示されている。
【００１９】
図２５に示す固定位置では、蝶番１は、回動要素３の相対動作が規制されるように固体物品３０に対して配向されている。固定位置では、回動要素３の回転軸線は固体物品３０の唯一の回転軸線に関して垂直となっている。その結果、固体物品３０は相対動作しないように固定される。
【００２０】
カラー１０は、ヒンジ式に連結された物品３０に取着され、或いは同物品内に固定されている。カラー１１の各々は、物品３０間に延在するヒンジジョイント部１５の一方の側部に嵌め込まれている。カラー１０は２つの物品３０内に固定されているので、蝶番１は物品３０と面一とすることができる。
【００２１】
使用に際して、蝶番１を解放するために、ユーザは蝶番１を物品３０に対して回転させる。この回転によって、結合部５および結合シャフト６が物品３０に対して回転する。カラー１１は、物品３０に対して固定されている。ヒンジ要素２は物品３０に対して回転自在となっている。
【００２２】
該蝶番は９０°回転させることができる。結合部５に設けられているリッジ部１５と、カラーに設けられている嵌合部１６は協働して、蝶番１が９０°を超えて回転することを防止する。
【００２３】
他の形態では、蝶番は、１８０°、２７０°または他の角度よりも蝶番が回転することを防止するリッジ部を設けることによって、３６０°まで回転可能とすることができる。リッジ部を設けていない場合、蝶番は３６０°回転可能となる。蝶番が３６０°回転可能な場合、動作の自由の方向は３６０°回転し、固体物品３０が様々な平面内で相対移動できるようになる。
【００２４】
使用に際して、ヒンジ式に連結された物品における蝶番１の位置および蝶番１の開放動作によって、蝶番１によって連結された物品３０がヒンジジョイント部１５沿いに衝合することが防止される。従って、半割にしたチェス盤がヒンジジョイント部１５沿いに割れたり、削れたり或いは損耗することがない。
【００２５】
更に、蝶番１は、原点位置として定義された位置を超えて伸展することを許容しない。結合部５が互いに同一直線上にあるとき、回動要素３が当接して蝶番１の過剰な伸展を防止する。
【００２６】
カラー１１およびヒンジ要素２は段階的な装着を許容し、ヒンジ式に連結する物品にカラー１１が取付けられ、次いで、ヒンジ要素２が取付けられる。
【００２７】
ヒンジ要素２は、金属、プラスチックその他の耐久性ある剛体材料から形成される。
他の実施形態では、カラー内でヒンジ要素２が重力によって自動的に回転するように、ヒンジ要素の重心が配置されている。他の形態では、ヒンジの回転は、モータ、バネ、磁石その他の外部手段によって自動的に回転するようになっている。
【００２８】
既述した実施形態では、２つの固体物品３０は半割にしたチェス盤から成る。他の実施形態では、２つの固体物品３０は、例えば、足場材料、床材、関節式に連結された仕切の２枚のパネル、ボードゲーム盤、戸棚のドア、宣伝パネルなどの相対動作させる必要のあるあらゆる固体物品とすることができよう。
【図面の簡単な説明】
【００２９】
【図１】本発明の１つの実施形態による蝶番の分解斜視図である。
【図２】取着手段を除いて示す図１の蝶番の正面図である。
【図３】図２の蝶番の頂面図である。
【図４】図２の蝶番の側面図である。
【図５】図２の蝶番の斜視図である。
【図６】第２位置にあるヒンジ要素と共に示す図２の蝶番の斜視図である。
【図７】第２位置にあるカラーと共に示す図２の蝶番の斜視図である。
【図８】図１の蝶番の分解斜視図である。
【図９】第１位置にある図８の蝶番の斜視図である。
【図１０】第２位置にある図８の蝶番の斜視図である。
【図１１】図８の蝶番の分解側面図である。
【図１２】図８の蝶番の側面図である。
【図１３】第２位置にある図８の蝶番の側面図である。
【図１４】本発明の第２の実施形態によるヒンジ要素の分解側断面図である。
【図１５】図１４の蝶番の側断面図である。
【図１６】図１４の蝶番の分解正面図である。
【図１７】図１４の蝶番の正面図である。
【図１８】図１４の蝶番の分解斜視図である。
【図１９】図１４の蝶番の分解斜視図である。
【図２０】図１４の蝶番の斜視図である。
【図２１】図１４の蝶番の斜視図である。
【図２２】本発明の１つの実施形態による蝶番の使用例を示す斜視図である。
【図２３】第２位置にある図２２の蝶番の斜視図である。
【図２４】第３位置にある図２２の蝶番の斜視図である。
【図２５】第４位置にある図２２の蝶番の斜視図である。
【図２６】固定位置にある蝶番の水平断面図である。
【図２７】図２６の蝶番の底面図である。
【符号の説明】
【００３０】
１    蝶番
２    ヒンジ要素
３    回動要素
４    ヒンジピン
５    結合部
６    シャフト
７    ベアリング管
１１    カラー
１５    ヒンジジョイント部
１６    嵌合部
３０    固体物品
【図１】
2008545071.tif 000003
【図２】
2008545071.tif 000004
【図３】
2008545071.tif 000005
【図４】
2008545071.tif 000006
【図５】
2008545071.tif 000007
【図６】
2008545071.tif 000008
【図７】
2008545071.tif 000009
【図８】
2008545071.tif 000010
【図９】
2008545071.tif 000011
【図１０】
2008545071.tif 000012
【図１１】
2008545071.tif 000013
【図１２】
2008545071.tif 000014
【図１３】
2008545071.tif 000015
【図１４】
2008545071.tif 000016
【図１５】
2008545071.tif 000017
【図１６】
2008545071.tif 000018
【図１７】
2008545071.tif 000019
【図１８】
2008545071.tif 000020
【図１９】
2008545071.tif 000021
【図２０】
2008545071.tif 000022
【図２１】
2008545071.tif 000023
【図２２】
2008545071.tif 000024
【図２３】
2008545071.tif 000025
【図２４】
2008545071.tif 000026
【図２５】
2008545071.tif 000027
【図２６】
2008545071.tif 000028
【図２７】
2008545071.tif 000029
【手続補正書】
【提出日】平成19年4月30日(2007.4.30)
【手続補正１】
【補正対象書類名】特許請求の範囲
【補正対象項目名】全文
【補正方法】変更
【補正の内容】
【特許請求の範囲】
【請求項１】
２つの回動要素を具備した蝶番において、
前記回動要素の各々は、該回動要素を物品に取着したときに、該蝶番が物品に対して回転可能となるように、該回動要素を物品に取着するための取着手段を含んで成り、
回動要素を前記物品に対して回転させることによって、蝶番の動作の自由の方向が変化するようになっている蝶番。
【請求項２】
前記蝶番はヒンジピンを更に具備する請求項１に記載の蝶番。
【請求項３】
前記取着手段が、前記２つの物品の一方に取着されるヒンジカラーを具備しており、前記蝶番が該ヒンジカラーに対して回転可能となっている請求項１または２に記載の蝶番。
【請求項４】
回転取着手段の各々がヒンジカラーを具備する請求項３に記載の蝶番。
【請求項５】
前記回動要素の相対的な回転動作の軸線と、前記蝶番の前記物品に対する回転軸線が互いに垂直となっている請求項１〜４の何れか１項に記載の蝶番。
【請求項６】
前記回転取着手段が回動要素の各々から突出したシャフトを更に具備する請求項１〜５の何れか１項に記載の蝶番。
【請求項７】
前記蝶番を回転させることによって、蝶番が固定位置と解放位置との間で移動する請求項１〜６の何れか１項に記載の蝶番。
【国際調査報告】
2008545071.tif 000030
2008545071.tif 000031